(57)【要約】【課題】、磁気カードの読み取り機構を持つ装置に適した方法で効果的に不正改造を検出することができる決済端末を提供する。【解決手段】筺体内に、磁気カードに磁気記録された識別情報を読み取る磁気カード読取手段１４と、磁気カード読取手段１４の周囲の少なくとも一部を囲む、配線を張り巡らした配線シート１４３と、筺体の開封を検出する開封検出手段１３４と、機密情報を保持する記憶手段と、配線シート１４３の配線に変化が生じたとき、または、開封検出手段１３４が筺体の開封を検出したとき、記憶手段に保持された機密情報を消去する不正改造検出手段と、少なくとも記憶手段及び不正改造検出手段が配置された配線基板１３とを設けている。この決済端末装置では、改造が比較的容易な磁気カード読取手段１４にだけ配線シート１４３を配置しており、簡単な構成で不正改造を効果的に防止することができる。【選択図】　　　図２
2004086325.tif 000002
【特許請求の範囲】
【請求項１】
筺体内に、
磁気カードに磁気記録された識別情報を読み取る磁気カード読取手段と、
前記磁気カード読取手段の周囲の少なくとも一部を囲む、配線を張り巡らした配線シートと、
前記筺体の開封を検出する開封検出手段と、
情報を保持する記憶手段と、
前記配線シートの配線に変化が生じたとき、または、前記開封検出手段が前記筺体の開封を検出したとき、前記記憶手段に保持された情報を消去する不正改造検出手段と、
少なくとも前記記憶手段及び不正改造検出手段が配置された配線基板と
を備えることを特徴とする決済端末装置。
【請求項２】
前記配線シートが、前記磁気カード読取手段の周囲の少なくとも一部を囲む金属板に貼付されていることを特徴とする請求項１に記載の決済端末装置。
【請求項３】
前記不正改造検出手段は、前記配線シートの配線が切断されたとき、または、前記開封検出手段が前記筺体の開封を検出したとき、前記記憶手段に保持された情報を消去することを特徴とする請求項１または２に記載の決済端末装置。
【請求項４】
前記不正改造検出手段は、前記配線シートの抵抗値が変化したとき、または、前記開封検出手段が前記筺体の開封を検出したとき、前記記憶手段に保持された情報を消去することを特徴とする請求項１または２に記載の決済端末装置。
【請求項５】
前記配線シートの配線が、張り巡らした１本の導体で形成されていることを特徴とする請求項１から４のいずれかに記載の決済端末装置。
【請求項６】
前記配線シートの配線が、張り巡らした複数本の導体で形成されていることを特徴とする請求項１から４のいずれかに記載の決済端末装置。
【請求項７】
前記開封検出手段は、複数の前記開封検出手段の中から任意に選択された１つの開封検出手段から成り、残りの前記開封検出手段は短絡されていることを特徴とする請求項１から６のいずれかに記載の決済端末装置。
【請求項８】
前記磁気カード読取手段が、前記筺体の操作面側で前記配線基板と電気接続していることを特徴とする請求項１から７のいずれかに記載の決済端末装置。
【請求項９】
前記配線基板の前記磁気カード読取手段と電気接続する位置の裏面にＣＰＵが装着されていることを特徴とする請求項８に記載の決済端末装置。
【発明の詳細な説明】
【０００１】
【発明の属する技術分野】
本発明は、磁気カードに記録されたクレジット番号等を読み取ってオンライン決済を行う決済端末に関し、特に、クレジット番号等を不正取得するために決済端末に加えられる改造を検出できるようにしたものである。
【０００２】
【従来の技術】
従来、クレジットカードを利用する決済では、クレジットカードに磁気記録されたクレジット番号を不正に読み取り、悪用する事故がしばしば発生している。図７に示すように、クレジットカード用の決済端末１０は、カード差し込み用のスリット１２を有している。ここにクレジットカードを差し込み、スリット１２に沿ってクレジットカードを引き抜くと、クレジットカードの磁気記録部分が決済端末１０内に設置された磁気ヘッドに接して動き、磁気記録部分に記録されたクレジット番号が磁気ヘッドで読み取られる。
読み取られたクレジット番号は、決済端末１０の操作部から入力された支払額のデータとともに、ネットワークを介して、決済サーバに送られ、オンラインで決済処理が行われる。
【０００３】
クレジット番号の不正読取りは、決済端末１０の本体ケースを開け、この装置の中に磁気ヘッドが読み取ったデータを蓄積する記録装置を密かに設置して行われ、後日、この記録装置を決済端末１０から取り出し、そこに記録されたクレジット番号が読み出される。
【０００４】
こうした不正を防ぐため、従来の決済端末は、本体ケースが開封されたときにオフになるマイクロスイッチを備えており、不正者が本体ケースを開けてマイクロスイッチがオフになると、メモリに記憶された暗号化キーなどの機密データが消去され、決済サーバへの決済動作ができなくなるように構成されている。
ただ、これだけでは万全でなく、本体ケースを開けずに、例えばドリルなどで本体ケースに穴を開けて、そこから不正工作が行われる虞れがある。
【０００５】
こうした手口に対抗するため、特開平１１−３５３２３７号公報には、ケース内面に配線を張り巡らし、本体ケースにドリルなどで穴を開けたときに、この配線が断線し、それに伴って装置の機能を停止するように構成した電子取引装置が記載されている。
【０００６】
【発明が解決しようとする課題】
しかし、複雑な形状を有し、且つ、広い面積を有するケース内面に配線を張り巡らす作業は、手間が掛かり、また、コストが嵩むと云う問題点がある。
【０００７】
本発明は、こうした従来の問題点を解決するものであり、磁気カードの読み取り機構を持つ装置に適した方法で効果的に不正改造を検出することができる決済端末装置を提供することを目的としている。
【０００８】
【課題を解決するための手段】
そこで、本発明の決済端末装置では、筺体内に、磁気カードに磁気記録された識別情報を読み取る磁気カード読取手段と、磁気カード読取手段の周囲の少なくとも一部を囲む、配線を張り巡らした配線シートと、筺体の開封を検出する開封検出手段と、情報を保持する記憶手段と、配線シートの配線に変化が生じたとき、または、開封検出手段が筺体の開封を検出したとき、記憶手段に保持された情報を消去する不正改造検出手段と、少なくとも記憶手段及び不正改造検出手段が配置された配線基板とを設けている。
このように、この決済端末装置では、改造が比較的容易な磁気カード読取手段にだけ配線シートを配置しており、簡単な構成で不正改造を効果的に防止することができる。
【０００９】
【発明の実施の形態】
本発明の実施形態における決済端末は、従来（図７）と同様の外形を有し、表面側ケース１５及び裏面側ケース１６から成る本体ケース内には、図１に示すように、配線基板１３と、本体ケースの周縁に配置された磁気カード読取部１４とを備えている。
【００１０】
磁気カード読取部１４は、図２に示すように、磁気カードが通過するスリット１４１と、スリット１４１に臨む位置に配置された磁気ヘッド１４２とを有しており、磁気カード読取部１４の磁気ヘッド１４２が配置された部分の左右両側及び下側は、穴が開けられたときにそれを検出する穿孔検出体１４３で覆われている。
【００１１】
この穿孔検出体１４３は、図３に示すように、コの字型に折り曲げられた金属板１４４と、この金属板１４４の外側に貼付された可撓性プリント配線板（ＦＰＣ）１４５とを備えている。ＦＰＣ１４５は、連続する一本の導体が密に折り曲げられて配線されており、断線検出シートを構成している。
磁気ヘッド１４２から導出された信号線１４６の先端は、配線基板１３に設けたソケット１３１に挿入される。
【００１２】
また、このソケット１３１が配置された配線基板１３の裏面には、決済端末の動作を制御するＣＰＵ１３２が装着されている。
また、配線基板１３には、ケース開封を検出する開封検出スイッチ１３４を構成するため、導体１３３が一定距離だけ離れて配線されており、この導体１３３間を短絡する接触片１５１が、配線基板１３の固定されたケース（ここでは、配線基板１３が裏面側ケース１６に固定されているものとする）とは別のケース（表面側ケース１５）に弾性的に固定されている。表面側ケース１５を開くと、表面側ケース１５に固定された接触片１５１が上昇して導体１３３間は非接続となり、開封検出スイッチ１３４はオフとなる。また、表面側ケース１５を閉じた状態では、接触片１５１が導体１３３間を接続し、開封検出スイッチ１３４はオンとなる。
【００１３】
図４は、この決済端末における不正改造検出回路の構成を示している。この回路には、開封検出スイッチ１３４と、ＦＰＣ１４５による断線検出シート（展開した状態を示している）の配線とが直列に接続し、また、開封検出スイッチ１３４のオフまたは断線検出シート１４５の配線の断線を検出してメモリ１８の機密情報を消去する検出回路１７が接続している。なお、検出回路１７及びメモリ１８は、図示していないが、配線基板１３に設置されている。
【００１４】
この決済端末の不正改造を企てる不正者が本体ケースを開けると、開封検出スイッチ１３４がオフとなり、検出回路１７は、断線を検知してメモリ１８の機密情報を消去する。そのため、決済端末の決済動作は停止される。また、不正者が、比較的改造の容易な磁気ヘッド１４２の不正改造を行うため、ドリルなどで磁気カード読取部１４に穴を開けようとすると、ＦＰＣ１４５の配線が断線し、検出回路１７は、この断線を検知してメモリ１８の機密情報を消去する。そのため、決済端末の決済動作は停止される。
【００１５】
また、磁気ヘッド１４２の信号線１４６が接続するソケット１３１に不正工作を加えるため、決済端末の裏側からドリルなどで穴を開けようとすると、この決済端末の動作を制御するＣＰＵ１３２や配線基板１３を破壊することになるため、決済端末の決済動作は停止される。
また、決済端末の操作部がある表側から穴を開けた場合には、その穴は容易に発見される。
【００１６】
このように、この決済端末では、本体ケースを開けて不正工作が行われることは開封検出スイッチ１３４で防いでおり、また、磁気ヘッド部１４２への穿孔による不正工作は、磁気カード読取部１４を断線検出シート１４５で覆うことにより防いでいる。
【００１７】
配線基板１３から信号を読み出すことは困難であり、そのため、本体ケースを開いて不正工作を行う改造さえ防いでいれば、配線基板１３から信号が読み出される虞れは殆ど無い。一方、磁気ヘッド部に対する改造は比較的容易であるが、断線検出シート１４５で覆っているため、穿孔による不正工作を排除することができる。
このように、この決済端末では、磁気カードの読み取り機構を持つ決済端末に適した、簡単で効果的な手段により不正改造を防止することができる。
【００１８】
なお、ここでは、ＦＰＣの断線検出シート１４５を金属板１４４に張り付け、この金属板１４４で磁気カード読取部１４を覆っているが、磁気カード読取部１４を断線検出シート１４５だけで覆うようにしても良い。ただ、金属板１４４を設ける方がドリル等の穿孔に対する抵抗力が強いため、不正改造を更にやりにくくすることができる。
【００１９】
また、開封検出スイッチ１３４には、従来の装置のように、マイクロスイッチを用いても良い。
また、不正者は、図５に示すように、断線検出シート１４５を破壊する前に、断線検出シート１４５を短絡１５０する工作を行う可能性がある。このとき、検出回路１７が断線だけを検知していると、不正工作を検出することができない。この場合、図５に示すように、検出回路として、抵抗値の変化を検出する抵抗検出回路１７１を配置すれば、断線検出シート１４５が短絡されたとき、不正改造検出回路の抵抗値の変化から不正工作を検出することができる。
また、不正改造検出回路に高周波信号を流し、人の指が断線検出シート１４５の配線に接触したときの静電容量の変化から生じる現象、例えば周波数の変化を検出して不正工作を検出するようにしても良い。
【００２０】
また、図６に示すように、断線検出シート１４５に複数の配線１４７、１４８、１４９を設けたり、複数の開封検出スイッチ１３５、１３６、１３７を設けたりすることで、断線検出シートを短絡する不正工作や開封検出スイッチを短絡する不正工作をやりにくくすることができる。また、この場合、開封検出スイッチ１３５、１３６、１３７は、どれか一つを残してリフロー時に半田でブリッジしても良い。しかし、どれをブリッジするかは製造現場で決めるようにする。こうすると、どれが実際の開封検出スイッチになるかが不定であるため、開封検出スイッチを短絡しようとする不正者を惑わすことができる。
【００２１】
【発明の効果】
以上の説明から明らかなように、本発明の決済端末は、磁気カードの読み取り機構を持つ装置に適した、簡単で効果的な手段で不正改造を防止することができる。この装置では、断線検出シートを、磁気ヘッドを覆う狭い部分にだけ用いているため、断線検出シートの設置作業が簡単であり、また、コストを低く抑えることができる。
【図面の簡単な説明】
【図１】本発明の実施形態における決済端末の内部構成を示す図
【図２】本発明の実施形態における決済端末の磁気カード読取部及び配線基板を示す図
【図３】本発明の実施形態における決済端末の穿孔検出体を示す図
【図４】本発明の実施形態における不正改造検出回路の構成を示す図
【図５】本発明の実施形態における抵抗検出回路を持つ不正改造検出回路を示す図
【図６】本発明の実施形態における複数の開封検出スイッチ及び断線検出配線を持つ不正改造検出回路を示す図
【図７】従来の決済端末を示す斜視図
【符号の説明】
１０　決済端末
１２　スリット
１３　配線基板
１４　磁気カード読取部
１５　表面側ケース
１６　裏面側ケース
１７　検出回路
１８　メモリ
１３１　ソケット
１３２　ＣＰＵ
１３３　導体
１３４　開封検出スイッチ
１３５　開封検出スイッチ
１３６　開封検出スイッチ
１３７　開封検出スイッチ
１４１　スリット
１４２　磁気ヘッド
１４３　穿孔検出体
１４４　金属板
１４５　可撓性プリント配線板（断線検出シート）
１４６　信号線
１４７　断線検出シート配線
１４８　断線検出シート配線
１４９　断線検出シート配線
１５０　短絡
１５１　接触片
１７１　抵抗検出回路
【図１】
2004086325.tif 000003
【図２】
2004086325.tif 000004
【図３】
2004086325.tif 000005
【図４】
2004086325.tif 000006
【図５】
2004086325.tif 000007
【図６】
2004086325.tif 000008
【図７】
2004086325.tif 000009